(57)【特許請求の範囲】
【請求項１】
秘密情報をホログラム又は回折格子を用いた回折効果により画像を表現することにより記録した回折構造形成体上に、該回折構造形成体と屈折率の近い隠蔽層を密着し、回折効果を消滅させて秘密情報を隠蔽し、秘密情報を出現させる際には、物理的刺激を加えて該隠蔽層を回折構造形成体から剥離し、該隠蔽層と該回折構造形成体との間にスペースを設けることで回折効果を再現させて秘密情報を出現させることを特徴とする秘密情報媒体。
【請求項２】
前記隠蔽層と回折構造形成体の界面に発泡剤層を設けたことを特徴とする請求項１に記載の秘密情報媒体。
【発明の詳細な説明】
【０００１】
【発明の属する技術分野】
本発明は、秘密情報を形成した支持体の秘密情報部分に隠蔽層を形成することにより秘密情報を隠蔽し、秘密情報を出現させる際には隠蔽層を剥離して秘密情報を出現させる秘密情報媒体に関する。
【０００２】
【従来の技術】
従来より支持体上に秘密情報を形成し、脆性を有する隠蔽層で秘密情報を隠蔽し、秘密情報を出現させる際には、隠蔽層を削り取るといった秘密情報媒体は、（１）抽選や宝くじに用いる媒体、（２）ＩＤ情報やパスワードの配布に用いる媒体、（３）問題やクイズの解答に用いる媒体などとして用いらていれる。
【０００３】
（１）抽選や宝くじに用いる媒体では、予め、秘密情報として当選情報を隠蔽部分に隠蔽しておき、一括した抽選会を待たずして当選、不当選が分る方法の抽選や宝くじなどで用いる。
（２）ＩＤ情報やパスワードの配布に用いる媒体では、通信ネットワーク、例えば、電話やインターネットなどに接続された環境で用いる媒体であり、秘密情報として設けられたＩＤ情報やパスワードをデータベース上で管理し、課金手段や認証手段として用いる。
（３）問題やクイズの解答に用いる媒体では、多肢選択方式で選択肢の数分の隠蔽層を設け、隠蔽層を削ることにより解答する方法などで用いる。
【０００４】
【発明が解決しようとする課題】
本発明は、改ざんを困難にした、且つ装飾性の高い、剥離性を有する隠蔽層を設けた秘密情報媒体を供給することを課題とする。
【０００５】
【課題を解決するための手段】
本発明は、秘密情報をホログラム又は回折格子を用いた回折効果により画像を表現することにより記録した回折構造形成体上に、該回折構造形成体と屈折率の近い隠蔽層を密着し、回折効果を消滅させて秘密情報を隠蔽し、秘密情報を出現させる際には、物理的刺激を加えて該隠蔽層を回折構造形成体から剥離し、該隠蔽層と該回折構造形成体との間にスペースを設けることで回折効果を再現させて秘密情報を出現させることを特徴とする秘密情報媒体である。
さらには上記秘密情報媒体において、前記隠蔽層と回折構造形成体の界面に発泡剤層を設けたことを特徴とするものである。
【０００６】
【発明の実施の形態】
以下に本発明による秘密情報媒体を、その実施形態に基づいて詳細に説明する。
図１は、回折構造形成体の一実施例の断面図である。図２は、図１の回折構造形成体の回折構造部分に隠蔽層を密着させた状態の回折構造形成体の断面図である。図３は、図２の回折構造形成体から隠蔽層を剥離した状態の断面図である。
図４は、図２の回折構造形成体から隠蔽層を、その片端から剥がした状態の断面図である。図５は、図２の回折構造形成体に物理的刺激を与え、回折構造形成体と隠蔽層の間にスペースを設けた場合の断面図である。
【０００７】
図１に示す回折構造形成体は、一般にホログラムと回折格子に分けられる。
ホログラムは、光学的な撮影方法により微細な凹凸パターンからなるレリーフ型のマスター版を作製し、次に、このマスター版から電気メッキ法により凹凸パターンを複製したニッケル製の刷版を作製する。
該刷版をホログラムを形成する層上に加熱押圧するという方法、もしくは溶融押出成型機から押出された溶融状態の樹脂を冷却ロールに該刷版を取り付けて巻き取る方法により大量複製が行われている。
このタイプのホログラムはレリーフ型ホログラムと称されている。
【０００８】
また、回折格子を用いたものは、このような実際のものを撮影するホログラムとは異なり、微少なエリアに複数種類の単純な回折格子を配置して画素とし、グレーティングイメージ、ドットマトリックス（ピクセルグラム等）と呼ばれる画像を表現するものである。このような回折格子を用いた画像は、レリーフ型ホログラムと同様な方法で大量複製が行われている。
【０００９】
図１に示すように、上記のような方法により得られた回折構造形成体（１１）の材料の屈折率をｎ１  、空気の屈折率をｎ０  とした場合、この界面での反射量（Ｒ）は、Ｒ＝｛（ｎ０  −ｎ１  ）／（ｎ０  ＋ｎ１  ）｝２  となる。
回折構造形成体の回折効率をＤとすると、回折構造形成体の画像の明るさ（Ｂ）は、Ｂ＝Ｒ×Ｄとなる。すなわち、回折構造形成体の材料の屈折率（ｎ１  ）が、ｎ１  ＝１．５であり、空気の屈折率（ｎ０  ）が、ｎ０  ＝１．０である時、反射量（Ｒ）は、入射光量の１に対してＲ＝０．０４であり、回折効率が２５％の回折構造形成体の場合、入射光に対する回折構造形成体の画像の明るさ（Ｂ）は、Ｂ＝０．０１となる。
【００１０】
また、図２に示すように、その材料の屈折率がｎ２  である隠蔽層（２６）を回折構造形成体の回折構造（２２）のある側に形成した場合には、反射量（Ｒ）は、Ｒ＝｛（ｎ２  −ｎ１  ）／（ｎ２  ＋ｎ１  ）｝２  となる。すなわち、ｎ２  ≒ｎ１  となる場合には、反射量（Ｒ）は、Ｒ＝｛（ｎ２  −ｎ１  ）／（ｎ２  ＋ｎ１  ）｝２  ≒０となり、界面での反射がほとんど起こらなくなる。すなわち、反射光（２４）の強度は非常に弱くなり、回折効果が消滅し回折構造による画像は見えなくなる。
尚、この隠蔽層は透明であることが好ましい。
【００１１】
また、図３に示すように、隠蔽層（３４）を回折構造形成体から剥離させ、その間に空気のスペース（３３）を設けた場合には、再び界面での反射が起こり、回折効果が再現し回折構造による画像は見えるようになる。
すなわち、回折構造形成体に回折構造によって秘密情報を形成しておき、屈折率の近い材料で隠蔽層を設けることにより画像を消しておき、秘密情報を出現させる際には、回折構造形成体から隠蔽層を剥離することにより、秘密情報を見ることができるものとなる。
【００１２】
ここで、隠蔽層の設け方としては、コーティングやラミネートを用いることができる。
また、隠蔽層の剥離の方法としては、図４に示すように、その片端から剥がす方法のほか、隠蔽層を削る方法、或いは図５に示すように、摩擦、圧力、熱など物理的刺激を加えることにより剥離させる方法がある。
摩擦、圧力、熱など物理的刺激を与えることにより剥離させる場合には、隠蔽層もしくは隠蔽層と回折構造形成体の界面にコーティングなどによって発泡剤を用いることができる。
【００１３】
回折構造形成体に隠蔽層を密着させて秘密情報を隠した秘密情報媒体は、そのまま用いるほか、他の媒体基材に貼付することができる。
貼付の際には、隠蔽層側、回折構造形成体側のどちらから貼付してもかまわない。貼付の方法としては、ラミネートなど公知の方法を用いることができる。
【００１４】
【実施例】
以下、本発明による秘密情報媒体の具体例を示す。
＜実施例１＞
図６（ａ）、（ｂ）、及び図７（ａ）、（ｂ）は、実施例１において作製した本発明による秘密情報媒体を貼付した媒体を示す説明図である。
図６（ａ）、（ｂ）は、隠蔽層を密着し回折効果を消滅させた状態を示し、図７（ａ）、（ｂ）は、隠蔽層を剥離し秘密情報を出現させた状態を示している。
図６、及び図７にて、（ａ）は平面図、（ｂ）は各々のＸ−Ｘ’線における断面図である。
【００１５】
図６（ａ）、（ｂ）に示すように、秘密情報媒体を貼付した媒体は、基材（６１）上に秘密情報媒体（６２）が粘着剤（６６）を介して貼付されたものであり、秘密情報媒体（６２）は回折構造形成体（６３）に隠蔽層（６４）が密着したものである。尚、（６５）は回折構造形成体（６３）上の回折構造を示している。
図６における秘密情報媒体（６２）は、秘密情報が隠蔽されているために、秘密情報の画像は見えないものである。図７に示すように、隠蔽層（６４）が剥離された状態では、回折構造部分の回折効果が再現し秘密情報の画像（６５’）が見えるものとなる。
【００１６】
具体的には、溶融押出しを用いてポリプロピレンフィルムを作製する際、冷却ロールに秘密情報を回折構造で形成した刷版を取り付け、回折構造形成体（６３）を得た。この回折構造形成体の表面にアクリル系樹脂を３μｍパターン状にグラビアコーティングし隠蔽層（６４）を密着して設け、秘密情報媒体（６２）を作製した。
得られた秘密情報媒体（６２）の裏側に粘着剤（６６）の加工を施し、他の基材（６１）に貼付け、秘密情報媒体を貼付した媒体を得た。
【００１７】
【発明の効果】
本発明は、秘密情報を回折構造による画像で形成した回折構造形成体に、回折構造形成体と屈折率の近い隠蔽層を密着して秘密情報を隠蔽し、秘密情報を出現させる際には、物理的刺激により隠蔽層を剥離し、回折効果を再現させて秘密情報を出現させる秘密情報媒体であるので、改ざんを困難にした、且つ装飾性の高い秘密情報媒体となる。
【図面の簡単な説明】
【図１】回折構造形成体の一実施例の断面図である。
【図２】図１の回折構造形成体の回折構造に隠蔽層を密着させた状態の回折構造形成体の断面図である。
【図３】図２の回折構造形成体から隠蔽層を剥離した状態の断面図である。
【図４】図２の回折構造形成体から隠蔽層を、その片端から剥がした状態の断面図である。
【図５】図２の回折構造形成体に物理的刺激を与え、回折構造形成体と隠蔽層の間にスペースを設けた場合の断面図である。
【図６】（ａ）、（ｂ）は、実施例１において作製した本発明による秘密情報媒体を貼付した媒体を示す説明図である。
【図７】（ａ）、（ｂ）は、実施例１において作製した本発明による秘密情報媒体を貼付した媒体を示す説明図である。
【符号の説明】
１１、２１、３１、４１、５１、６３……回折構造形成体
１２、２２、３２、６５……回折構造
１３、２３、３５……入射光
１４、２４、３６……反射光
１５、２５、３７……透過光
２６、３４、４２、５２、６４……隠蔽層
３３……スペ−ス
６１……基材
６２……秘密情報媒体
６５’……秘密情報の画像
６６……粘着剤
【図１】
0004547791.tif 000002
【図２】
0004547791.tif 000003
【図３】
0004547791.tif 000004
【図４】
0004547791.tif 000005
【図５】
0004547791.tif 000006
【図６】
0004547791.tif 000007
【図７】
0004547791.tif 000008